(57)【特許請求の範囲】
【請求項１】
ハッチ２２の対向面に第一・第二軸２３，２６を設けたブラケット３０が取り付けられ、第一軸２３に第一歯車２４を、第二軸２６に第二歯車２５を互いに噛み合わせて嵌装し、第一歯車２４にはアーム３２と当接板３３とを介して床蓋２７を取付け、第二歯車２５にはアーム３４を介してカウンターウエイト２８を一体に取り付け、さらに、ハッチ２２の内側に固定の方杖ブラケット３５の下端に設けたベアリング３７から床蓋２７の裏面に設けた軌道３９に方杖３８を亘設し、上記方杖３８の先端と軌道３９とをローラー４０を介して摺動可能に結合し、上記軌道３９の終端にストッパー４２を設けたハッチの床蓋兼安全柵。
【請求項２】
上記ストッパー４２はボルト・ナットにより位置調節可能にした請求項１に記載のハッチの床蓋兼安全柵。
【請求項３】
上記方杖３８の設置位置を、上記床蓋２７の巾Ｌとして１／２Ｌとし、上記第一・第二歯車２４，２５を有する上記ブラケット３０の設置位置を、ベッセルポイントを左右に振り分けるようにした請求項１または２に記載のハッチの床蓋兼安全柵。
【発明の詳細な説明】
【０００１】
【発明の属する技術分野】
この発明は多層建築物の各スラブに設けられるハッチの床蓋が、ハッチを開いたとき安全柵として兼用されるハッチの床蓋兼安全柵に関する。
【０００２】
【従来の技術】
本出願人は、図６に示すように、特願平８−６３１４９号で「建造物のスラブ１に設けた四角形のハッチ２の両端に、それぞれハッチ２のほぼ半分を閉塞する床蓋７が起伏自在に設けられ、前記ハッチ２の両端辺に所定の高さを有する側枠９が起伏自在に設けられており、前記ハッチ２の両端辺の各側辺近くに歯車４及びこれに噛み合った歯車５が設けられ、前記歯車４及び５を支持する前記ハッチ２の両端辺に平行な第一軸３及び第２軸６が配され、前記歯車４に前記床蓋７の後端部が取り付けられ、前記第２軸６にカウンターウェイト８が取り付けられ、前記床蓋７と前記側枠９を起こすことにより形成されるハッチ安全柵において、前記歯車４及び５の両脇に前記ハッチ内部に固定されたブラケット１０を設け、このブラケット１０で前記第一軸３及び前記第二軸６を保持するようにしたハッチ安全柵」を提案した。
【０００３】
【発明が解決しようとする課題】
上記提案によって、ハッチ両端辺の全体に亘って設けられていた第一軸３と第二軸６が上記ブラケット１０を設けることにより第一軸３と第二軸６がブラケットの幅だけの長さとなり、ハッチの開口面積が広がり荷物の取り扱いが容易になるという効果が得られたが、その後の検討の結果、床蓋を構成する鋼材の軽量化と均整のとれた強度アップの要求があり、この発明は上記要求に応えることを課題とする。
【０００４】
【課題を解決するための手段】
上記課題を解決するためにこの発明は、ハッチ２２の対向面に第一・第二軸２３，２６を設けたブラケット３０を取り付け、第一軸２３に第一歯車２４を、第二軸２６に第二歯車２５を互いに噛み合わせて嵌装し、第一歯車２４にはアーム３２と当接板３３とを介して床蓋２７を取付け、第二歯車２５にはアーム３４を介してカウンターウエイト２８を一体に取り付け、さらに、ハッチ２２の内側に固定の方杖ブラケット３５の下端に設けたベアリング３７から床蓋２７の裏面に設けた軌道３９に方杖３８を亘設し、上記方杖３８の先端と軌道３９とをローラー４０を介して摺動可能結合し、上記軌道３９の終端にボルト・ナットにより位置調節可能なストッパー４２を設けて構成したものである。
【０００５】
ここで方杖３８の設置位置は、床蓋２７の幅Ｌとして１／２Ｌであり、上記第一・第二歯車２４，２５を有するブラケット３０の設置位置は、ベッセルポイントを左右に振り分けるようにしたものである。
【０００６】
上記の如く構成するこの発明によれば、床蓋を起伏させるときはカウンターウェイトにより楽に起伏させることができ、床蓋を伏せたときは、起伏とともに揺動する方杖により支えられて補強される。
【０００７】
また、方杖の設置位置と第一・第二歯車を含むブラケットの設置位置を特定することによりバランスよく床蓋が支持されて少ない鋼材で均整のとれた床蓋が得られ、床蓋を起立させることにより、それがそのまま安全柵となる。
【０００８】
【発明の実施の形態】
次にこの発明の実施形態を図１〜図３を参照しながら説明する。スラブ２１に開口したハッチ２２の上縁には段部２０が形成され、この段部にフレーム３１が嵌められ固定されている。
【０００９】
フレーム３１の対向面の両端にはブラケット３０が取り付けられ、このブラケット３０には第一軸２３と第二軸２６が嵌められ、第一軸２３には第一歯車２４が、第二軸２６には第二歯車２５が互いに噛み合って嵌められ、第一歯車２４にはアーム３２と当接板３３とを介して床蓋２７が取付けられ、第二歯車２５にはアーム３４を介してカウンターウエイト２８が一体に取り付けられている。
【００１０】
さらに、フレーム３１には方杖ブラケット３５が下向きに伸び、この方杖ブラケット３５の下端とフレーム３１間にステー３６が亘設され、方杖ブラケット３５の下端にはベアリング３７を構成し、このベアリング３７から方杖３８が床蓋２７の裏面に設けられた軌道３９に延びている。
【００１１】
上記軌道３９と方杖３８の先端との結合は、ローラー４０を介して摺動可能になり、上記軌道３９の終端にはボルト・ナット４１により位置調整可能のストッパー４２が設けられている。
【００１２】
ここで方杖３８の設置位置は、図４に示すように床蓋２７の幅をＬとしたとき１／２Ｌとし、上記当接板３３、アーム３２、第一・第二歯車２４，２５を介してブラケット３０で床蓋２７を受ける位置は、エアリーポイントあるいはベッセルポイントに習って方杖３８の位置から左右に振り分けた位置とする。
【００１３】
上記のように方杖３８とブラケット３０の設置位置を決めることにより床蓋２７の歪みを最小限にすることができる。言い換えれば均整のとれた強度の床蓋２７を構成することとなる。
【００１４】
次に、床蓋２７の動作について説明する、図１はハッチ２２に床蓋２７が被せられた状態で、床蓋２７を起こすと当接板３３、アーム３２、第一・第二歯車２４，２５、アーム３４に運動が伝達されてカウンターウェイト２８が振り下がり、床蓋２７を起立させるための力が軽減されるとともに起立位置を保つように働く。
【００１５】
床蓋２７が起立すると側枠２９を図３の如く立ててハッチ２２の回りの安全柵が施される。なお、床蓋２７が起立すると方杖３８の先端のローラー４０は軌道３９内を転がって図３の位置に移動する。
【００１６】
床蓋２７を倒してハッチ２２を被うときは、側枠２９を外し床蓋２７を倒す。このとき当接板３３、アーム３２、第二・第一歯車２５，２４、およびカウンターウェイト２８へと運動が伝達されてカウンターウェイト２８が振り上がる。従って、床蓋２７を倒すときはカウンターウェイト２８とバランスして急激に倒れることはない。
【００１７】
なお、図５はハッチ２２が大きくなり、二個の方杖３８と三個のブラケット３０（第一・第二歯車、第一軸・第二軸、カウンターウェイトを含む）で支持している状態のものを示す。
【００１８】
【発明の効果】
以上説明したようにこの発明によればカウンターウェイトの存在により床蓋の起伏が容易になり、床蓋を起立させることにより安全柵が構築され、方杖、第一・第二歯車およびアームを介して床蓋を支持するブラケットの位置を特定することにより均整のとれた強度の床蓋とすることができる。
【図面の簡単な説明】
【図１】この発明に係るハッチの床蓋兼安全柵の部分切り欠き斜視図
【図２】同安全柵を形成させた状態の正面図
【図３】同安全柵を形成させた状態の側面図
【図４】方杖とブラケットの設置位置説明図
【図５】別の実施形態の安全柵を形成させた状態の正面図
【図６】（ａ）従来例の斜視図
（ｂ）同安全柵を形成させた状態の正面図
【符号の説明】
１，２１  スラブ
２，２２  ハッチ
３，２３  第一軸
４，２４  第一歯車
５，２５  第二歯車
６，２６  第二軸
７，２７  床蓋
８，２８  カウンターウェイト
９，２９  側枠
１０，３０  ブラケット
３１  フレーム
３２  アーム（床蓋側の）
３３  当接板
３４  アーム（カウンターウェイト側）
３５  方杖のブラケット
３６  ステー
３７  ベアリング
３８  方杖
３９  軌道
４０  ローラー
４１  ボルト・ナット
４２  ストッパー
【図１】
0003709557.tif 000002
【図２】
0003709557.tif 000003
【図３】
0003709557.tif 000004
【図４】
0003709557.tif 000005
【図５】
0003709557.tif 000006
【図６】
0003709557.tif 000007